(57)【特許請求の範囲】
【請求項１】
電話端末装置および複数の電話網間の発信中継を行い、前記電話端末装置から発信を受け前記電話網に接続された網側回線群の全回線の話中を認識すると、前記電話端末装置に接続された端末側回線群の空き回線に対して捕捉規制し、前記電話端末装置に対して直接収容してある電話網から発信させる回線選択装置であって、
前記複数の電話網の任意の電話網に接続された網側回線群の空き回線が残り１回線になったときに、前記電話端末装置からの発信を受け付けると、前記任意の電話網の残り１回線を捕捉する予約捕捉手段と、
前記予約捕捉手段が回線を捕捉した後、前記電話端末装置からダイヤル信号を受信すると、所定の条件において前記複数の電話網のいずれかの網を選択するルーティング手段と、
前記ルーティング手段により、前記予約捕捉手段が捕捉した回線と接続された網が選択された場合に、当該捕捉した回線を使用しパスを設定する通信パス設定手段と、
前記ルーティング手段により、前記予約捕捉手段が捕捉した回線と接続された網が選択されなかった場合に、当該捕捉した回線を切断する回線切断手段と、
を備えたことを特徴とする回線選択装置。
【発明の詳細な説明】
【０００１】
【発明の属する技術分野】
本発明は、複数の電話網と構内交換機（ＰＢＸ）などの電話端末装置との間における発着信を中継する回線選択装置に関する。
【０００２】
【従来の技術】
従来、このような回線選択装置は各網側回線群の各回線に接続される複数のトランク回路と、端末側回線群の各回線に接続される複数のＰＢＸ側インターフェイス（Ｉ／Ｆ）回路と、任意の網側Ｉ／Ｆ回路および任意のＰＢＸ側Ｉ／Ｆ回路間に通話経路を開設する通話路スイッチと、本装置を制御する中央制御装置とを備えている。ここで、回線（電話回線）はＡ線およびＢ線と呼ばれる２本の電線によって構成される。
【０００３】
このような構成の回線選択装置において、電話端末装置からの発信に際しては端末側回線群の回線を介してＰＢＸ側Ｉ／Ｆ回路によって発信相手先のダイヤル信号を受信する。
【０００４】
次いで、このダイヤル信号に基づいて発信ルートを設定し、この発信ルートに対応する網側回線群を複数の網側回線群から選択し、選択した網側回線群の回線に接続される網側Ｉ／Ｆ回路を捕捉し、捕捉した網側Ｉ／Ｆ回路によって発信ルートに対応する電話網に対して発信中継動作を行う。
【０００５】
電話網からの着信に際しては、網側Ｉ／Ｆ回路には電話網による網側回線のレバース（Ａ線とＢ線の極性を反転させること）を検出するためのレバース検出回路が設けられており、ＰＢＸ側Ｉ／Ｆ回路には端末側回線をレバースするレバース回路が設けられている。
【０００６】
電話網は網側回線群の回線をレバースして着信を開始するので、中央制御装置は各レバース検出回路を監視しており、網側回線のレバースによる着信開始を認識すると、ＰＢＸ側Ｉ／Ｆ回路を捕捉し、捕捉したＰＢＸ側Ｉ／Ｆ回路のレバース回路によって端末側の回線をレバースし、端末装置に着信開始の伝達を行い、このＰＢＸ側Ｉ／Ｆ回路とレバースした網側回線に接続されている網側Ｉ／Ｆ回路によって、端末装置に対して呼出信号等を中継する着信中継動作を行う。
【０００７】
【発明が解決しようとする課題】
しかしながら、回線選択装置は発信ルートが決定可能なダイヤルまで受信後、複数の発信ルートから選択するため、選択した発信ルートが全話中の場合は、発信不可と判断する。このため、発信側の電話端末装置からみると、発信操作中に話中になってしまうことになる。
【０００８】
この間、回線選択装置は収容されている他の電話網から発信することができるが、通話料金等の理由で発信優先度の高い電話網が回線選択装置の収容回線外にある場合に、発信呼をそちらの電話網に迂回させることができなかった。
【０００９】
本発明は、このような従来の課題を解決するためになされたもので、回線選択収容外に発信ルートがある場合に、電話端末装置からの発信を円滑に行うことができる回線選択装置を提供することを目的とする。
【００１０】
【課題を解決するための手段】
本発明による回線選択装置は、電話端末装置および複数の電話網間の発信中継を行い、電話端末装置から発信を受け電話網に接続された網側回線群の全回線の話中を認識すると、電話端末装置に接続された端末側回線群の空き回線に対して捕捉規制し、電話端末装置に対して直接収容してある電話網から発信させる回線選択装置であって、複数の電話網の任意の電話網に接続された網側回線群の空き回線が残り１回線になったときに、電話端末装置からの発信を受け付けると、任意の電話網の残り１回線を捕捉する予約捕捉手段と、予約捕捉手段が回線を捕捉した後、電話端末装置からダイヤル信号を受信すると、所定の条件において複数の電話網のいずれかの網を選択するルーティング手段と、ルーティング手段により、予約捕捉手段が捕捉した回線と接続された網が選択された場合に、捕捉した回線を使用しパスを設定する通信パス設定手段と、ルーティング手段により、予約捕捉手段が捕捉した回線と接続された網が選択されなかった場合に、捕捉した回線を切断する回線切断手段とを備えたものである。
【００１１】
本発明によると、網側回線群の空き回線を監視する手段によって網側回線群の全回線の話中を認識し、端末側回線群の空き回線に捕捉規制を伝達することにより、電話端末装置からの新たな発信を規制し、それによって電話端末装置が回線選択装置側の回線は全回線話中とみなし、収容してある電話網に対し発信を行うようにさせることができる。
【００１５】
また、本発明によれば、任意の電話網の空き回線が残り１回線になった場合に、電話端末装置からダイヤル受信中にこの電話網に着信があると、電話端末装置からみると発信操作中に話中となり、回線選択装置の収容以外への電話網への発信ができなくなるが、任意の電話網が残り１回線になった場合にその回線を捕捉し、発信ルートのルーティング処理を行い、その電話網と判定された場合はそのままダイヤルを送出し、他の電話網と判定された場合は捕捉した回線を開放することで、常時円滑な発信を提供することができる。
【００１６】
【発明の実施の形態】
図１は、本発明による回線選択装置を用いた電話交換システムの構成図で、回線選択装置１は、回線群Ｍ（回線Ｍ１〜Ｍ５）によって構内交換機（ＰＢＸ）２に接続され、回線群Ｋ（回線Ｋ１〜Ｋ４）によって第１の電話網３に接続され、回線群Ｎ（回線Ｎ１〜Ｎ３）によって第２の電話網４に接続されている。
【００１７】
また、ＰＢＸ２は回線群Ｌ（回線Ｌ１〜Ｌ３）によって第３の電話網５に接続され、さらに複数の内線電話端末（ＥＸＴ）６を収容している。また、第１の電話網３には電話端末（ＴＥＬ）７が接続され、第２の電話網４にはＴＥＬ８が接続され、第３の電話網５にはＴＥＬ９が接続されている。この場合、例えば回線群Ｍはアナログ回線であり、回線群Ｌはディジタル回線である。
【００１８】
この構成において、回線選択装置１は、回線群Ｍの回線Ｍ１〜Ｍ５のいずれかを介してＰＢＸ２からの発信を検出すると、回線群Ｋの回線Ｋ１〜Ｋ４のいずれか、または回線群Ｎの回線Ｎ１〜Ｎ３のいずれかを選択し、この選択した回線と発信を伝送した回線群Ｍの回線とを接続する。これによってＰＢＸ２と選択した回線に接続された電話網との間に通話経路を設定する。
【００１９】
回線選択装置１は、この設定により回線群Ｋおよび回線群Ｎが全話中になった場合は、回線群Ｍの回線Ｍ１〜Ｍ５の使用していない回線に対しレバースを送出し、新たな発信を規制する。ＰＢＸ２は回線群Ｌの回線Ｌ１〜Ｌ３のいずれかからの発信を行い電話網５と接続する。
【００２０】
また、回線選択装置１は、回線群Ｋの回線Ｋ１〜Ｋ４のいずれかを介して電話網３からの着信を検出すると、この着信を伝送して回線群Ｋの回線を回線群Ｍの回線Ｍ１〜Ｍ５のいずれかに接続する。これによって電話網３とＰＢＸ２との間に通話経路を設定する。同様に回線群Ｎからの着信を検出すると、電話網４とＰＢＸ２との間に通話経路を設定する。
【００２１】
図２は、第１の電話網３が全話中における回線選択装置１の動作を説明するブロック図である。回線選択装置１は回線群Ｋと接続される網側Ｉ／Ｆ回路であるＣＯＴ（Ｋ）１１、回線群Ｎと接続される網側Ｉ／Ｆ回路であるＣＯＴ（Ｎ）１２、回線群Ｍと接続される加入者側Ｉ／Ｆ回路であるＬＩＮ（Ｍ）１３を備えている。
【００２２】
また、ＰＢＸ２は回線群Ｍと接続される網側Ｉ／Ｆ回路であるＣＯＴ（Ｍ）２１、回線群Ｌと接続される網側Ｉ／Ｆ回路であるＣＯＴ（Ｌ）２２、ＥＸＴ６に接続される加入者側Ｉ／Ｆ回路であるＬＩＮ（ＥＸＴ）２３を備えている。
【００２３】
いま、電話網３の回線群Ｋが全て使用中であるとすると、ＰＢＸ２に接続されている回線群Ｍの未使用回線、すなわちＬＩＮ（Ｍ）１２に接続されている回線のいずれかに対し発信規制（レバース信号）を伝送する。
【００２４】
これにより、ＰＢＸ２はＣＯＴ（Ｍ）２１からの発信ができなくなり、ＣＯＴ（Ｌ）２２から第３の電話網５を介して発信を行う。回線選択装置１は、電話網３の回線群Ｋに空きが検出されるまでＬＩＮ（Ｍ）１３に接続されている回線に対し発信規制（レバース信号）を伝送する。
【００２５】
次に、図３に示すシーケンス図を参照しながら、ＥＸＴ６からの発信動作について説明する。
【００２６】
まず、発信者がＥＸＴ６の受話器を取り上げ（ステップＳ１１）、電話網に接続されている相手先ＴＥＬのダイヤルを押すと、ＥＸＴ６がダイヤル信号を送出する（ステップＳ１２）。
【００２７】
ＰＢＸ２はこのダイヤル信号を加入者側Ｉ／Ｆ回路であるＬＩＮ（ＥＸＴ）２３で受信し、ＥＸＴ６と回線選択装置１との間に通話路を形成し、回線選択装置１に対しループを閉成して発信を行う（ステップＳ１３）。
【００２８】
そのとき、回線選択装置１は、設定により電話網３または電話網４に接続されている回線群Ｋまたは回線群Ｎの空き状態を監視し、設定によりどちらかの電話網に接続されている回線群が全回線使用中と判断されると、残りのＰＢＸ２に接続されている回線群Ｍに対しレバース信号を送出し、ＰＢＸ２に発信規制を行う（ステップＳ１５）。
【００２９】
ＰＢＸ２からダイヤル信号を受信した回線選択装置１は（ステップＳ１６）、発信先回線網（例えば電話網３）に対してループを閉成するとともに（ステップＳ１７）、この電話網３とＰＢＸ２との間に通話路を開設し、ダイヤル信号を送出する（ステップＳ１８）。
【００３０】
回線選択装置１からダイヤル信号を受信した電話網３は、ＴＥＬ７を呼び出し（ステップＳ１９）、一方、ＥＸＴ６へ呼出音（ＲＢＴ）を送出する（ステップＳ２０）。
【００３１】
ＴＥＬ７の受信者が呼出に応じ、受話器を取り上げる（オフフック）ことで応答すると（ステップＳ２１）、電話網３はＴＥＬ７の応答を検出し、ＴＥＬ７と回線選択装置１の間に通話路を設定し、回線選択装置１に対しレバースを形成し応答する（ステップＳ２２）。
【００３２】
電話網３の応答を検出した回線選択装置１は、ＰＢＸ２に対してレバースを形成して応答する（ステップＳ２３）。これによりＰＢＸ２、回線選択装置１、電話網３を介してＥＸＴ６とＴＥＬ７との間に通話路が形成され通話中となる（ステップＳ２４）。
【００３３】
次に、図４に示すシーケンス図を参照しながら、第１の電話網３に接続する回線群Ｋの空き回線が残り１回線になったときに、電話網３を経由して発信する場合の動作について説明する。
【００３４】
まず、ＰＢＸ２がＥＸＴ６からの発信を検出し（ステップＳ３１）、さらにダイヤル信号を受信すると（ステップＳ３２）、回線選択装置１に対しループを形成して発信を行う（ステップＳ３３）。
【００３５】
回線選択装置１はＰＢＸ２からの発信を検出すると（ステップＳ３４）、電話網３または４に接続されている回線群ＫまたはＮの空き状態を監視し、例えば電話網３に対し回線捕捉してループを閉成する（ステップＳ３５、Ｓ３６）。電話網３は発信を検出して予約捕捉し（ステップＳ３７）、残り１回線であるため着信防止（着信規制）する。
【００３６】
ＰＢＸ２はダイヤル信号を送出し（ステップＳ３８）、パス設定する（ステップＳ３９）。回線選択装置１はＰＢＸ２からダイヤル信号を受信すると（ステップＳ４０）、ルーティング処理を行う（ステップＳ４１）。
【００３７】
その結果、例えば電話網３の方が電話網４よりも通話料金が安い場合は電話網３を選択し、電話網３にダイヤル信号を送出し（ステップＳ４２）、パス設定する（ステップＳ４３）。回線選択装置１からダイヤル信号を受信した電話網３は（ステップＳ４４）、ＴＥＬ７を呼び出す。
【００３８】
次に、図５に示すシーケンス図を参照して、第１の電話網３の空き回線が残り１回線になったときに、第２の電話網４を経由して発信する場合の動作について説明する。
【００３９】
回線選択装置１がルーティング処理を行い（ステップＳ４１）、その結果、電話網４を選択すると、ＣＯＴ（Ｎ）１２によって回線群Ｎの空き回線を捕捉し（ステップＳ５１）、予約捕捉した電話網３を切断する（ステップＳ５２）。
【００４０】
次いで、回線選択装置１は電話網４に対し発信し（ステップＳ５３）、ダイヤル信号を送出し（ステップＳ５４）、パス設定する（ステップＳ５５）。電話網４は回線選択装置１からの発信を受信し（ステップＳ５６）、ダイヤル信号を受信して（ステップＳ５７）、ＴＥＬ８を呼び出す。
【００４１】
次に、図６に示すシーケンス図を参照して、第１の電話網３の空き回線が残り１回線になったときに、この電話網３が全回線使用中となり、第３の電話網５を経由して発信する場合の動作について説明する。
【００４２】
ＰＢＸ２は回線選択装置１からレバース送出による残回線閉塞により回線選択装置１への発信規制を受けた後に（ステップＳ６１）、ＥＸＴ６からの発信を検出し（ステップＳ６２）、さらにダイヤル信号を受信すると（ステップＳ６３）、電話網５に対しループを形成して発信を行い（ステップＳ６４）、ダイヤル信号を送出し（ステップＳ６５）、パス設定する（ステップＳ６６）。電話網５はＰＢＸ２からの発信を受信し（ステップＳ６７）、ダイヤル信号を受信して（ステップＳ６８）、ＴＥＬ９を呼び出す。
【００４３】
次に、図４および図５に示す動作を、図７に示すフローチャート図および図８に示す電話交換システムの動作説明図によって説明する。
【００４４】
まず、回線選択装置１はＰＢＸ２から発呼を受けると、回線群Ｋが残り１回線かを検出し（ステップＳ７１）、残り１回線であればその回線を予約捕捉し（ステップＳ７２）、回線群Ｍに対しレバース信号を送出してＰＢＸ２に対して発信規制を行う（ステップＳ７３）。図８（ａ）はその処理を示す。
【００４５】
次いで、回線選択装置１は回線群Ｋに発信するか回線群Ｎに発信するかのルーティング処理を行い（ステップＳ７４）、回線群Ｋを選択すると（ステップＳ７５）、ダイヤル送出する（ステップＳ７６）。図８（ｂ）はその処理を示す。
【００４６】
回線群Ｋに空き回線が生じると（ステップＳ７７）、回線選択装置１は回線群Ｍに対するレバース信号の送出を解除し、ＰＢＸ２に対する発信規制を解除して（ステップＳ７８）、ステップＳ７１以降の処理を繰り返す。
【００４７】
ステップＳ７１で回線群Ｋが残り１回線でない場合は、回線群Ｋに発信するか回線群Ｎに発信するかのルーティング処理を行う（ステップＳ７９）。
【００４８】
また、ステップＳ７４で回線群Ｎを選択した場合は、ステップＳ７２で予約捕捉した回線群Ｋの１回線を開放し（ステップＳ８０）、回線群Ｎの１回線を捕捉して（ステップＳ８１）、ダイヤル送出する（ステップＳ８２）。図８（ｃ）はその処理を示す。
【００４９】
【発明の効果】
本発明によれば、電話網の回線群の使用回線数の監視および電話端末装置への発信規制により、複数の電話網を収容する電話端末装置に回線選択装置を設置した場合でも、電話端末装置に収容している電話網から迂回発信することができ、従来のような呼損を削減でき、円滑に発信することができるという有利な効果が得られる。
【図面の簡単な説明】
【図１】本発明による回線選択装置を用いた電話交換システムの構成図である。
【図２】本発明による回線選択装置の動作を説明するブロック図である。
【図３】本発明による回線選択装置の動作を説明するシーケンス図である。
【図４】本発明による回線選択装置の動作を説明するシーケンス図である。
【図５】本発明による回線選択装置の動作を説明するシーケンス図である。
【図６】本発明による回線選択装置の動作を説明するシーケンス図である。
【図７】本発明による回線選択装置の動作を説明するフローチャート図である。
【図８】本発明による回線選択装置を用いた電話交換システムの動作説明図で、（ａ）は第１の電話網の回線を予約捕捉した状態を示し、（ｂ）は第１の電話網を選択した状態を示し、（ｃ）は第２の電話網を選択した状態を示す。
【符号の説明】
１  回線選択装置
２  構内交換機（ＰＢＸ）
３  第１の電話網
４  第２の電話網
５  第３の電話網
６  内線電話端末装置（ＥＸＴ）
７、８、９  電話端末装置（ＴＥＬ）
Ｋ、Ｌ、Ｍ、Ｎ  回線群
Ｋ１〜Ｋ４、Ｌ１〜Ｌ３、Ｍ１〜Ｍ５、Ｎ１〜Ｎ３  回線
ＣＯＴ（Ｋ）  回線群Ｋと接続される網側Ｉ／Ｆ回路
ＣＯＴ（Ｌ）  回線群Ｌと接続される網側Ｉ／Ｆ回路
ＣＯＴ（Ｍ）  回線群Ｍと接続される網側Ｉ／Ｆ回路
ＣＯＴ（Ｎ）  回線群Ｎと接続される網側Ｉ／Ｆ回路
ＬＩＮ（ＥＸＴ）  ＥＸＴと接続される加入者側Ｉ／Ｆ回路
ＬＩＮ（Ｍ）  回線群Ｍと接続される加入者側Ｉ／Ｆ回路
【図１】
0003957428.tif 000002
【図２】
0003957428.tif 000003
【図３】
0003957428.tif 000004
【図４】
0003957428.tif 000005
【図５】
0003957428.tif 000006
【図６】
0003957428.tif 000007
【図７】
0003957428.tif 000008
【図８】
0003957428.tif 000009